(57)【特許請求の範囲】
【請求項１】
光透過部が形成された表示板と、
前記表示板を背面側から照明する第１の光源と、
前記第１の光源とは筒状の照明壁によって遮られるとともに前記表示板を背面側から照明する第２の光源と、
前記第２の光源とは前記照明壁によって遮られるとともに前記表示板を背面側から照明する第３の光源と、
前記第１の光源の出射光を反射させる第１の反射面及び前記第１の反射面で反射された前記出射光を前記光透過部方向へ更に反射させる第２の反射面を有する第１の照明室と、
前記第２の光源を囲む前記照明壁を有する第２の照明室と、
前記照明壁によって前記第１の光源の出射光が遮られる位置に形成され、前記第１の照明室とは区切られない第３の照明室と、を備えた表示装置において、
前記第３の照明室は、前記第３の光源の出射光の真上方向に位置する遮光部と、前記遮光部によって形成された反射空間を通過する前記第３の光源の出射光が前記表示板方向へ反射される第３の反射面と、を有し、
前記透過部の端部は、前記第３の照明室内に配置されることを特徴とする表示装置。
【請求項２】
前記端部は、前記表示板の表面側の指針の指示対象となる目盛、数字などの指標部であることを特徴とする請求項１記載の表示装置。
【請求項３】
前記第３の照明室の前記遮光部は、前記第１の照明室と前記第２の照明室と前記第３の照明室とが一体形成されたケース体の壁部から突出形成されることを特徴とする請求項２記載の表示装置。
【発明の詳細な説明】
【技術分野】
【０００１】
本発明は、例えば自動車やオートバイに搭載される計器用の表示装置に関し、光源からの出射光によって表示板を照明する表示装置に関するものである。
【背景技術】
【０００２】
従来、この種の表示装置にあっては、例えば下記特許文献１に記載されているものが知られている。この特許文献１に記載の表示装置は、指針軸の周辺に配置された光源の出射光を、意匠部を備えた表示板の外周方向へ反射させるための第１の反射面と、第１の反射面に向かって出射光を反射させるための第２の反射面を備えた構造となっている。
【先行技術文献】
【特許文献】
【０００３】
【特許文献１】特開２００５−２４４１８号公報
【発明の開示】
【発明が解決しようとする課題】
【０００４】
しかしながら、先行文献１に記載の表示板は、表示板の外周方向へ進む出射光が障害物などによって遮られる場合、特に表示板の外周に位置する意匠が上手く照明されないという問題点があった。
そこで本発明は、前述の課題に対処するため、出射光が遮られる場合でも導光部材や拡散部材を用いることなく表示板を照明することができる表示装置の提供を目的とするものである。
【課題を解決するための手段】
【０００５】
本発明は、光透過部が形成された表示板と、前記表示板を背面側から照明する第１の光源と、前記第１の光源とは筒状の照明壁によって遮られるとともに前記表示板を背面側から照明する第２の光源と、前記第２の光源とは前記照明壁によって遮られるとともに前記表示板を背面側から照明する第３の光源と、前記第１の光源の出射光を反射させる第１の反射面及び前記第１の反射面で反射された前記出射光を前記光透過部方向へ更に反射させる第２の反射面を有する第１の照明室と、前記第２の光源を囲む前記照明壁を有する第２の照明室と、前記照明壁によって前記第１の光源の出射光が遮られる位置に形成され、前記第１の照明室とは区切られない第３の照明室と、を備えた表示装置において、前記第３の照明室は、前記第３の光源の出射光の真上方向に位置する遮光部と、前記遮光部によって形成された反射空間を通過する前
記第３の光源の出射光が前記表示板方向へ反射される第３の反射面と、を有し、
前記透過部の端部は、前記第３の照明室内に配置されるものである。
【０００６】
また本発明は、前記端部は、前記表示板の表面側の指針の指示対象となる目盛、数字などの指標部である。
【０００７】
また本発明は、前記第３の照明室の前記遮光部は、前記第１の照明室と前記第２の照明室と前記第３の照明室とが一体形成されたケース体の壁部から突出形成されるものである。
【発明の効果】
【０００８】
本発明によれば、出射光が遮られる場合でも導光部材や拡散部材を用いることなく表示板を照明することができる表示装置を提供できる。
【図面の簡単な説明】
【０００９】
【図１】本発明の実施形態による表示装置の正面図。
【図２】図１のＡ−Ａ断面図。
【図３】図１のケース体の正面図。
【発明を実施するための形態】
【００１０】
本発明を、車両用の表示装置を実施形態として説明する。図１は、表示装置の正面図である。図２は、表示装置の断面図である。図３は、表示装置に用いられるケース体の正面図である。
【００１１】
本実施形態による表示装置１は、硬質な回路基板２と、この回路基板２の裏面側に回路基板２と導通状態で装着され、回路基板２を貫通して前方に延びる指針軸３ａを有する駆動本体３と、指針軸３ａの先端側に装着された指示部４ａを有する指針４と、この指針４の後方に配置され指示部４ａの動作に対応する指標部５ａとマーク５ｂなどの光透過部５１を有した表示板５と、回路基板２上に実装され表示板５を照明する複数の光源６と、表示板５と回路基板２との間に配置されたケース体７と、回路基板２の裏面側を覆うカバー８と、表示板５の前方側に配置され表示板５の可視領域を定める開口部９ａを有する合成樹脂製の見返し部材９と、指針４や見返し部材９の前方側に配置された無色透明な透視板９ｂを有している。
【００１２】
表示板５は、光透過性の無色透明な基板の表面側に指針４の指示対象となる目盛、数字などの指標部５ａと、インジケータなどのマーク５ｂと、が印刷形成されている。また、指標部５ａとマーク５ｂ以外の地の部分は、例えば黒色などの不透過な印刷が形成されている。
【００１３】
ケース体７は、指標部５ａを照明するための第１の照明室７０と、マーク５ｂを照明するための第２の照明室７１と、指標部５ａの第２照明室７１によって後述する第１光源６ａの光が遮られる箇所を照明するための第３の照明室７２とが一体形成されている。本実施形態の場合、第１の照明室７０と第３の照明室７２とは、ケース体７と一体成形された部材によって区切られていなく、指標部５ａの背面側に形成されている。
【００１４】
光源６は、第１の照明室７０内に配置され指標部５ａを照明するための第１光源６ａと、第２照明室７１内に配置されマーク５ｂを照明するための第２光源６ｂと、第３の照明室７２内に配置され指標部５ａの端部（本実施形態での数字の０と８及び周辺の目盛）であって、第２の照明室７１によって第１光源６ａの出射光が遮られる箇所を照明するための第３光源６ｃと、を有している。
【００１５】
ケース体７は、遮光性のある白色の合成樹脂から形成され、外周壁７ａと、第１の照明室７０であって第１の光源６ａの出射光を表示板５の背面（後述する第２の反射面７０ｂ方向）へ反射させる第１の反射面７０ａと、第１の反射面７０ａで反射された出射光を表示板５の方向へ反射させる第２の反射面７０ｂと、第２の照明室７１であって第２の光源６ｂを囲む筒状の照明壁７１ａと、第３の照明室７２であって外周壁７ａから突出し第３の光源６ｃの真上に進行する光を遮光する遮光部７２ａと、第３の光源６ｃの光が遮光部７２ａによって形成される空間Ｓ（本実施形態での遮光部７２ａと第３の反射面７２ｂとの間）を通過して表示板５側へ反射されるための第３の反射面７２ｂと、を有している。
【００１６】
第１の光源６ａの光は、表示板５方向へ出射されたのち、第１の反射面７０ａによって第２の反射面７０ｂ方向へ反射され、湾曲形成された第２の反射面７０ｂで反射することによって、表示板５方向へ放射される。第１の光源６ａの光は、表示板５に形成された指標部５ａ（本実施形態での数字の１から７及び周辺の目盛）を透過照明する。
【００１７】
第２の光源６ｂの光は、表示板５方向へ出射されたのち、筒状の照明壁７１ａによって乱反射しながら表示板５に到達し、マーク５ｂを透過照明する。
【００１８】
第３の光源６ｃの光は、表示板５方向へ出射されたのち、遮光部７２ａによって真上（表示板５方向）に向かう出射光が遮られ、遮光部７２ａによって形成された空間Ｓを通過した出射光が、湾曲形成された第３の反射面７２ｂで反射することによって、表示板５方向へ照射される。第３の光源６ｃの光は、表示板５に形成された指標部５ａのうち第２の照明室７１によって第１光源６ａの出射光が遮られる箇所（本実施形態での数字の０と８及び周辺の目盛）を透過照明する。
【００１９】
以上のように、本実施形態では、光透過部５１が形成された表示板５と、表示板５を背面側から照明する第１の光源６ａと、第１の光源６ａとは筒状の照明壁７１ａによって遮られるとともに表示板５を背面側から照明する第２の光源６ｂと、第２の光源６ｂとは照明壁７１ａによって遮られるとともに表示板５を背面側から照明する第３の光源６ｃと、第１の光源６ａの出射光を反射させる第１の反射面７０ａ及び第１の反射面７０ａで反射された出射光を表示板５の光透過部５ａ、５ｂへ更に反射させる第２の反射面７０ｂを有する第１の照明室７０と、
前記第２の光源６ｂを囲む前記照明壁を有する第２の照明室７１と、照明壁７１ａによって第１の光源６ａの出射光が遮られる位置に形成された第３の照明室７２と、を備えた表示装置において、第３の照明室７２は、第３の光源６ｃの出射光の真上方向に位置する遮光部７２ａと、遮光部７２ａによって形成された空間Ｓを通過する第３の光源６ｃの出射光が表示板５方向へ反射される第３の反射面７２ｂと、を有していることにより、表示板５に形成された指標部５ａのうち、第２照明室７１によって第１光源６ａの出射光が遮られる箇所を透過照明することができる。
【００２０】
また本実施形態では、前記第１の照明室と前記第２の照明室と前記第３の照明室とが一体形成されたケース体を備えたことにより、部品数を少なくできる。
【００２１】
また本実施形態では、遮光部７２ａは、ケース体７の外周壁７ａから突出形成されることにより、第３照明室７２に位置する指標部７ａを照明する輝度を調整することができる。
【符号の説明】
【００２２】
１      表示装置
２      回路基板
３      駆動本体
４      指針
５      表示板
５ａ    指標部
５ｂ    マーク
６      光源
６ａ    第１光源
６ｂ    第２光源
６ｃ    第３光源
７      ケース体
７ａ    外周壁
８      カバー
９      見返し部材
５１    光透過部
７０    第１の照明室
７０ａ  第１の反射面
７０ｂ  第２の反射面
７１    第２の照明室
７１ａ  照明壁
７２    第３の照明室
７２ａ  遮光部
７２ｂ  第３の反射面
【図１】
0006597228.tif 000002
【図２】
0006597228.tif 000003
【図３】
0006597228.tif 000004